(57)【要約】【課題】環境への負荷が低い易生分解性キレート剤を含有し、ビリルビン由来の糞尿汚れに対して良好な洗浄効果を発揮し、かつ、低温安定性の良好な液体洗浄剤組成物の提供。【解決手段】特定のアミノカルボン酸系キレート剤（Ａ）と、アルカノールアミン（Ｂ）と、一般式（ＩＩＩ）［式（ＩＩＩ）中、Ｒ１は炭素数５〜９のアルキル基又はアルケニル基、Ｍは水素原子又はアルカリ金属原子を示す。］で表される化合物（Ｃ１）と、一般式（ＩＶ）［式（ＩＶ）中、Ｒ２は炭素数１１〜１７のアルキル基又はアルケニル基、Ｍは水素原子又はアルカリ金属原子を示す。］で表される化合物（Ｃ２）と、ノニオン界面活性剤（Ｄ）とを含有し、（Ｃ１）成分と（Ｃ２）成分との質量比［（Ｃ１）／（Ｃ２）］が０．７〜１０であり、かつ、２５℃でのｐＨが９．０〜１１．０であることを特徴とする液体洗浄剤組成物。［化１］2009161581.tif 000010【選択図】なし【特許請求の範囲】
【請求項１】
下記（Ａ）成分、（Ｂ）成分、（Ｃ１）成分、（Ｃ２）成分および（Ｄ）成分を含有し、
前記（Ｃ１）成分と前記（Ｃ２）成分との質量比［（Ｃ１）／（Ｃ２）］が０．７〜１０であり、かつ、２５℃でのｐＨが９．０〜１１．０であることを特徴とする液体洗浄剤組成物。
（Ａ）下記一般式（Ｉ）および／又は一般式（ＩＩ）で表される化合物。
【化１】
2009161581.tif 000007
[式（Ｉ）中、Ｒは炭素数１〜３のアルキル基を表し、Ｍは水素原子又はアルカリ金属原子を表す。式（ＩＩ）中、Ｍは水素原子又はアルカリ金属原子を表す。式（Ｉ）および式（ＩＩ）中、複数のＭはそれぞれ同じであってもよく異なっていてもよい。］
（Ｂ）アルカノールアミン。
（Ｃ１）下記一般式（ＩＩＩ）で表される化合物。
【化２】
2009161581.tif 000008
［式（ＩＩＩ）中、Ｒ１は炭素数５〜９のアルキル基又はアルケニル基であり、Ｍは水素原子又はアルカリ金属原子を示す。］
（Ｃ２）下記一般式（ＩＶ）で表される化合物。
【化３】
2009161581.tif 000009
［式（ＩＶ）中、Ｒ２は炭素数１１〜１７のアルキル基又はアルケニル基であり、Ｍは水素原子又はアルカリ金属原子を示す。］
（Ｄ）ノニオン界面活性剤。
【発明の詳細な説明】
【技術分野】
【０００１】
本発明は、液体洗浄剤組成物に関するものであり、特に糞尿汚れ用として好適な液体洗浄剤組成物に関する。
【背景技術】
【０００２】
新生児もしくは年少の幼児又は介護を必要とする高齢者の方達が着用する、おむつやパンツ等の衣料には、通常、尿や便といった排泄物の汚れ（糞尿汚れ）が多く付着する。
この糞尿汚れは、ヘモグロビン分解産物であるビリルビン等の黄色成分を含むため、前記衣料に形成される頑固なシミの要因となる。
糞尿汚れを落とす方法としては、特にキレート剤を用いる方法が極めて有効であることが知られている。これに対して、従来の衣料用などの液体洗浄剤組成物を用いた場合、当該液体洗浄剤組成物には、一般に、主成分として界面活性剤が配合されており、キレート剤は多く配合されていないため、当該液体洗浄剤組成物ではビリルビン由来の特有の汚れ、すなわち、糞尿汚れを充分に落とすことができない。
【０００３】
糞尿汚れに対して洗浄効果を発揮する洗浄剤組成物として、たとえば、ノニオン界面活性剤、（Ｂ）炭素数８〜１４の脂肪酸、（Ｃ）モノエタノールアミン、ジエタノールアミンおよびトリエタノールアミンからなる群より選ばれる少なくとも１種類のエタノールアミン、（Ｄ）有機キレート剤および（Ｅ）水酸化カリウム又は水酸化ナトリウムの少なくとも１種を、それぞれ特定の割合で含有する液体洗浄剤組成物が提案されている（特許文献１参照）。
【０００４】
一方、衣料用などの液体洗浄剤組成物には、近年、環境配慮・環境保護の観点から、アミノカルボン酸塩などを易生分解性キレート剤として配合する試みが盛んになされてきている。
前記アミノカルボン酸塩を含有した、通常の家庭用の洗濯に適した洗浄剤組成物としては、たとえば以下の（１）〜（５）が開示されている。
（１）泥に対する吸着率の高い酵素を含有する洗剤組成物が提案されている（特許文献２参照）。
（２）特定のアニオン界面活性剤と、ノニオン界面活性剤と、特定のヒドロキシイミノジコハク酸塩とを、特定の割合で含む高嵩密度粒状洗剤組成物が提案されている（特許文献３参照）。
（３）（ａ）過炭酸塩又は過硼酸塩、（ｂ）特定のアミノポリカルボン酸、（ｃ）アシル基と離脱基を有する特定の漂白前駆体、（ｄ）ノニオン界面活性剤、（ｅ）アニオン界面活性剤および（ｆ）アルカリ剤を、それぞれ特定比率で含有するノニオン界面活性剤を主体とする漂白剤含有洗浄剤組成物が提案されている（特許文献４参照）。
（４）（Ａ）脂肪酸石鹸、（Ｂ）特定のポリオキシアルキレン型ノニオン界面活性剤、（Ｃ）アスパラギン酸ジ酢酸、グルタミン酸ジ酢酸、ヒドロキシイミノジコハク酸、イミノジコハク酸、エチレンジアミンジコハク酸、ポリアスパラギン酸又はポリグリオキシル酸若しくはこれらの塩、および（Ｄ）層状珪酸アルカリ金属塩を、それぞれ特定の割合で含有する粉末洗浄剤組成物が提案されている（特許文献５参照）。
（５）Ｎ，Ｎ−ビス（カルボキシメチル）アスパラギン酸塩、Ｎ，Ｎ−ビス（カルボキシメチル）セリン塩、Ｎ，Ｎ−ビス（カルボキシメチル）グルタミン酸塩などの特定の含窒素化合物（ａ）と、炭素数１０〜１８のアルコールに、エチレンオキサイドとプロピレンオキサイドとを特定の比率で付加させたノニオン界面活性剤（ｂ）を、それぞれ特定比率で含有する洗浄剤組成物が提案されている（特許文献６参照）。
【特許文献１】特開２００３−２７７７８９号公報
【特許文献２】特開２００４−２１０８１２号公報
【特許文献３】特開平６−２４８３００号公報
【特許文献４】特開平１１−３５９７８号公報
【特許文献５】特開２０００−２９０６９８号公報
【特許文献６】特開２０００−８０８１号公報
【発明の開示】
【発明が解決しようとする課題】
【０００５】
本発明者らの検討によると、アミノカルボン酸塩などの易生分解性キレート剤が用いられた、特許文献２〜６等の従来の液体洗浄剤組成物は、糞尿汚れに対して洗浄効果を発揮するものの、特に低温保存条件での液安定性が悪いことが分かった。
また、本発明者らのさらなる検討によると、特に、工業化されている易生分解性キレート剤（ナトリウム塩）を用いた場合、糞尿汚れに対する洗浄効果と低温安定性とを両立させることが極めて困難であることも分かった。
このように、本発明者らは、易生分解性キレート剤を用いた液体洗浄剤組成物においては、「糞尿汚れに対する洗浄効果と低温安定性とを両立すること」が新たな技術課題となることを見出した。
なお、特許文献１に記載の液体洗浄剤組成物には、易生分解性キレート剤は用いられておらず、前記技術課題を解決する技術としては不適切なものである。
【０００６】
本発明は、上記事情に鑑みてなされたものであり、環境への負荷が低い易生分解性キレート剤を含有し、ビリルビン由来の糞尿汚れに対して良好な洗浄効果を発揮し、かつ、低温安定性の良好な液体洗浄剤組成物を提供することを課題とする。
【課題を解決するための手段】
【０００７】
本発明者らは鋭意検討した結果、上記課題を解決するために、以下の手段を提供する。
すなわち、本発明の液体洗浄剤組成物は、下記（Ａ）成分、（Ｂ）成分、（Ｃ１）成分、（Ｃ２）成分および（Ｄ）成分を含有し、前記（Ｃ１）成分と前記（Ｃ２）成分との質量比［（Ｃ１）／（Ｃ２）］が０．７〜１０であり、かつ、２５℃でのｐＨが９．０〜１１．０であることを特徴とする。
（Ａ）下記一般式（Ｉ）および／又は一般式（ＩＩ）で表される化合物。
（Ｂ）アルカノールアミン。
（Ｃ１）下記一般式（ＩＩＩ）で表される化合物。
（Ｃ２）下記一般式（ＩＶ）で表される化合物。
（Ｄ）ノニオン界面活性剤。
【０００８】
【化１】
2009161581.tif 000002
[式（Ｉ）中、Ｒは炭素数１〜３のアルキル基を表し、Ｍは水素原子又はアルカリ金属原子を表す。式（ＩＩ）中、Ｍは水素原子又はアルカリ金属原子を表す。式（Ｉ）および式（ＩＩ）中、複数のＭはそれぞれ同じであってもよく異なっていてもよい。］
【０００９】
【化２】
2009161581.tif 000003
［式（ＩＩＩ）中、Ｒ１は炭素数５〜９のアルキル基又はアルケニル基であり、Ｍは水素原子又はアルカリ金属原子を示す。］
【００１０】
【化３】
2009161581.tif 000004
［式（ＩＶ）中、Ｒ２は炭素数１１〜１７のアルキル基又はアルケニル基であり、Ｍは水素原子又はアルカリ金属原子を示す。］
【発明の効果】
【００１１】
本発明によれば、環境への負荷が低い易生分解性キレート剤を含有し、ビリルビン由来の糞尿汚れに対して良好な洗浄効果を発揮し、かつ、低温安定性の良好な液体洗浄剤組成物を提供することができる。
【発明を実施するための最良の形態】
【００１２】
≪液体洗浄剤組成物≫
本発明の液体洗浄剤組成物は、前記一般式（Ｉ）および／又は一般式（ＩＩ）で表される化合物（Ａ）と、アルカノールアミン（Ｂ）と、前記一般式（ＩＩＩ）で表される化合物（Ｃ１）と、前記一般式（ＩＶ）で表される化合物（Ｃ２）と、ノニオン界面活性剤（Ｄ）とを含有し、当該（Ｃ１）成分と当該（Ｃ２）成分との質量比［（Ｃ１）／（Ｃ２）］が０．７〜１０であり、かつ、２５℃でのｐＨが９．０〜１１．０のものである。
【００１３】
＜（Ａ）成分＞
本発明において、（Ａ）成分は、前記一般式（Ｉ）および／又は一般式（ＩＩ）で表される化合物である。（Ａ）成分はアミノカルボン酸系キレート剤である。当該（Ａ）成分を含有することにより、他のビルダーを含有する場合に比べて生分解性が向上し、環境への負荷が低減される。また、ビリルビン由来の糞尿汚れに対して良好な洗浄効果が得られる。
【００１４】
前記一般式（Ｉ）中、Ｒは、炭素数１〜３のアルキル基を表し、直鎖状であってもよく、分岐鎖状であってもよい。炭素数が１〜３であることにより、糞尿汚れに対する洗浄力が向上する。Ｒとしては、なかでもメチル基であることが特に好ましい。
前記一般式（Ｉ）中、Ｍは、水素原子又はアルカリ金属原子を表す。アルカリ金属原子としては、ナトリウム、カリウムが好ましく、ナトリウムが特に好ましい。
また、複数のＭは、同じであってもよく異なっていてもよい。
前記一般式（Ｉ）で表される化合物のなかで好適なものとしては、メチルグリシン二酢酸又はその塩が挙げられ、メチルグリシン二酢酸ナトリウムが特に好ましい。
【００１５】
前記一般式（ＩＩ）中、Ｍは、水素原子又はアルカリ金属原子を表す。アルカリ金属原子としては、ナトリウム、カリウムが好ましく、ナトリウムが特に好ましい。
また、複数のＭは、同じであってもよく異なっていてもよい。
【００１６】
（Ａ）成分は、１種単独で、又は２種以上混合して用いることができる。
上記のなかでも、（Ａ）成分としては、洗浄力が向上することから、前記一般式（Ｉ）で表される化合物が好ましく、メチルグリシン二酢酸又はその塩が最も好ましい。
本発明の液体洗浄剤組成物中の（Ａ）成分の含有割合は、５〜２０質量％が好ましく、１０〜１５質量％がより好ましい。（Ａ）成分の含有割合が５質量％以上であると、ビリルビン由来の糞尿汚れに対する洗浄力がより向上し、２０質量％以下であると、低温安定性がより向上する。
【００１７】
＜（Ｂ）成分＞
本発明において、（Ｂ）成分はアルカノールアミンである。
（Ｂ）成分としては、モノエタノールアミン、ジエタノールアミン、トリエタノールアミン等のエタノールアミンが好適なものとして挙げられる。
（Ｂ）成分は、１種単独で、又は２種以上混合して用いることができる。
上記のエタノールアミンを単独で用いる場合、（Ｂ）成分としては、糞尿汚れに対する洗浄効果と低温安定性が良好であることから、ジエタノールアミンが特に好ましい。
また、（Ｂ）成分としては、モノエタノールアミンとトリエタノールアミンの２種を併用することも好ましい。
本発明の液体洗浄剤組成物中の（Ｂ）成分の含有割合は、１〜１０質量％が好ましく、３〜１０質量％がより好ましい。（Ｂ）成分の含有割合が１質量％以上であると、ビリルビン由来の糞尿汚れに対する洗浄力がより向上する。また、低温安定性もより向上する。一方、（Ｂ）成分の含有割合が１０質量％以下であれば、ビリルビン由来の糞尿汚れに対する洗浄効果が充分に得られ、経済的にも有利となる。また、（Ｂ）成分の含有割合を１〜１０質量％とすると、液体洗浄剤組成物のｐＨを９．０〜１１．０に容易に制御できる。
【００１８】
＜（Ｃ１）成分＞
本発明において、（Ｃ１）成分は、前記一般式（ＩＩＩ）で表される化合物である。（Ｃ１）成分は、炭素数６〜１０の脂肪酸又はその塩である。
前記一般式（ＩＩＩ）中、Ｒ１は、炭素数５〜９のアルキル基、又は炭素数５〜９のアルケニル基であり、炭素数５〜９のアルキル基が好ましく、炭素数７〜９のアルキル基がより好ましい。
Ｍは、水素原子又はアルカリ金属原子を示す。アルカリ金属原子としては、ナトリウム、カリウムが好ましく、ナトリウムが特に好ましい。なかでも、Ｍとしては、水素原子が好ましい。
上記のなかでも、（Ｃ１）成分としては、カプリル酸、カプリン酸が特に好ましい。
（Ｃ１）成分は、１種単独で、又は２種以上混合して用いることができる。
【００１９】
＜（Ｃ２）成分＞
本発明において、（Ｃ２）成分は、前記一般式（ＩＶ）で表される化合物である。（Ｃ２）成分は、炭素数１２〜１８の脂肪酸又はその塩である。
前記一般式（ＩＶ）中、Ｒ２は、炭素数１１〜１７のアルキル基、又は炭素数１１〜１７のアルケニル基であり、炭素数１１〜１７のアルキル基が好ましい。
Ｍは、水素原子又はアルカリ金属原子を示す。アルカリ金属原子としては、ナトリウム、カリウムが好ましく、ナトリウムが特に好ましい。なかでも、Ｍとしては、水素原子が好ましい。
上記のなかでも、（Ｃ２）成分としては、ラウリン酸、ミリスチン酸、パルミチン酸、ステアリン酸がより好ましく、ラウリン酸が特に好ましい。
（Ｃ２）成分は、１種単独で、又は２種以上混合して用いることができる。
【００２０】
本発明の液体洗浄剤組成物中の、（Ｃ１）成分と（Ｃ２）成分との合計の含有割合は、１〜１０質量％が好ましく、３〜７質量％がより好ましい。（Ｃ１）成分と（Ｃ２）成分との合計の含有割合が１質量％以上であると、ビリルビン由来の糞尿汚れに対する洗浄力がより向上する。また、液外観の均一透明性もより向上する。一方、（Ｃ１）成分と（Ｃ２）成分との合計の含有割合が１０質量％以下であると、低温安定性がより向上する。また、製品臭気がより良好となる。
【００２１】
本発明において、（Ｃ１）成分と（Ｃ２）成分との質量比［（Ｃ１）／（Ｃ２）］は０．７〜１０であり、１．５〜４．５であることが好ましい。（Ｃ１）／（Ｃ２）が０．７以上であると、低温安定性が良好となり、（Ｃ１）／（Ｃ２）が１０以下であると、低温安定性が良好となるとともに、液体洗浄剤組成物における臭気の劣化も抑制される。
【００２２】
本発明の液体洗浄剤組成物によれば、（Ｃ１）成分と（Ｃ２）成分とを組み合わせて用いて、さらに、両成分の混合割合を質量比［（Ｃ１）／（Ｃ２）］で０．７〜１０とすることにより、易生分解性キレート剤を用いた従来の液体洗浄剤組成物における技術課題の一つである、低温保存条件での液安定性を格段に向上させることができる。
【００２３】
一般に、脂肪酸又はその塩は、天然由来の原料又は市販品等の場合、炭素数の異なる複数の化合物の混合物であることが多い。
本発明における（Ｃ１）成分と（Ｃ２）成分との質量比［（Ｃ１）／（Ｃ２）］は、たとえば、市販品のカプリル酸（商品名「ＮＡＡ−８２」、日本油脂製）とヤシ脂肪酸（商品名「椰子脂肪酸」、日本油脂製）とを併用した場合、以下のようにして求めることができる。
【００２４】
それぞれの脂肪酸の組成は、以下の通りである。
【００２５】
カプリル酸：Ｃ６／Ｃ８／Ｃ１０＝０．５／９９／０．５（質量比）。
ここで、「Ｃ６／Ｃ８／Ｃ１０」とは、
「Ｃ６」が、前記一般式（ＩＩＩ）において、Ｒ１が炭素数５のアルキル基、Ｍが水素原子である脂肪酸（以下、炭素数６の化合物という）；
「Ｃ８」が、前記一般式（ＩＩＩ）において、Ｒ１が炭素数７のアルキル基、Ｍが水素原子である脂肪酸（以下、炭素数８の化合物という）；
「Ｃ１０」が、前記一般式（ＩＩＩ）において、Ｒ１が炭素数９のアルキル基、Ｍが水素原子である脂肪酸（以下、炭素数１０の化合物という）を意味し、これら３種の脂肪酸の混合物からなるものであることを表す。
上記の炭素数６の化合物、炭素数７の化合物、炭素数８の化合物は、いずれも、（Ｃ１）成分に該当する。
【００２６】
ヤシ脂肪酸：Ｃ８／Ｃ１０／Ｃ１２／Ｃ１４／Ｃ１６／Ｃ１８＝５／６／５５／１７／１０／７（質量比）。
ここで、「Ｃ８／Ｃ１０／Ｃ１２／Ｃ１４／Ｃ１６／Ｃ１８」とは、
「Ｃ８」が炭素数８の化合物；
「Ｃ１０」が炭素数１０の化合物；
「Ｃ１２」が、前記一般式（ＩＶ）において、Ｒ２が炭素数１１のアルキル基、Ｍが水素原子である脂肪酸（以下、炭素数１２の化合物という）；
「Ｃ１４」が、前記一般式（ＩＶ）において、Ｒ２が炭素数１３のアルキル基、Ｍが水素原子である脂肪酸（以下、炭素数１４の化合物という）；
「Ｃ１６」が、前記一般式（ＩＶ）において、Ｒ２が炭素数１５のアルキル基、Ｍが水素原子である脂肪酸（以下、炭素数１６の化合物という）；
「Ｃ１８」が、前記一般式（ＩＶ）において、Ｒ２が炭素数１７のアルキル基、Ｍが水素原子である脂肪酸（以下、炭素数１８の化合物という）を意味し、これら６種の脂肪酸の混合物からなるものであることを表す。
上記６種の脂肪酸のうち、炭素数８の化合物と炭素数１０の化合物は（Ｃ１）成分に該当し、炭素数１２の化合物と炭素数１４の化合物と炭素数１６の化合物と炭素数１８の化合物は（Ｃ２）成分に該当する。
【００２７】
たとえば、液体洗浄剤組成物中に、前記カプリル酸３質量％、前記ヤシ脂肪酸２質量％を含有する場合（後述の実施例１など）、上記のように、市販品の脂肪酸組成（質量比）を考慮し、（Ｃ１）成分に該当する化合物の総量と、（Ｃ２）成分に該当する化合物の総量とをそれぞれ算出し、（Ｃ１）成分と（Ｃ２）成分との質量比［（Ｃ１）／（Ｃ２）］を求める。
【００２８】
また、（Ｃ１）成分および（Ｃ２）において、両方の成分を混合してなる混合物の融点（℃）としては８℃以下であることが好ましく、０℃以下であることがより好ましい。当該融点が上限値以下であると、低温安定性がより良好となる。
当該融点は、以下のようにして求めることができる。
すなわち、（Ｃ１）成分と（Ｃ２）成分との混合物  ４質量％、前記（Ａ）成分  １５質量％、前記（Ｂ）成分  ５質量％、後述の（Ｄ）成分  ５質量％、水  残部からなる組成物を、−５０℃で凍結させ、その後、昇温（１℃／ｍｉｎ．）しながら完全に融解した時点の温度を、目視によって測定する。
【００２９】
＜（Ｄ）成分＞
本発明において、（Ｄ）成分はノニオン界面活性剤である。
（Ｄ）成分としては、たとえば、ポリオキシエチレンアルキルエーテル、ポリオキシエチレンアルケニルエーテル、ポリオキシエチレンアルキレンフェニルエーテル、ポリオキシエチレンポリオキシプロピレンアルキルエーテル、ポリオキシエチレンポリオキシプロピレンアルケニルエーテル、ポリオキシアルキレングリコール脂肪酸エステル、アルキルアミンのエチレンオキサイド（ＥＯ）付加体等が挙げられる。
なかでも、（Ｄ）成分としては、アルコールのＥＯ付加体が好ましく、そのアルコールの炭素数が８〜１６であり、水への溶解性がより良好となることからＥＯの平均付加モル数が３〜１５であるものがより好ましい。
（Ｄ）成分は、１種単独で、又は２種以上混合して用いることができる。
本発明の液体洗浄剤組成物中の（Ｄ）成分の含有割合は、１〜１０質量％が好ましく、３〜７質量％がより好ましい。かかる合計の含有割合が１質量％以上であると、液体洗浄剤組成物の液外観の均一透明性がより良好となる。一方、（Ｄ）成分の含有割合が１０質量％以下であれば、低温安定性がより向上する。また、高温安定性も向上する。
【００３０】
＜任意成分＞
本発明の液体洗浄剤組成物には、前記（Ａ）、（Ｂ）、（Ｃ１）、（Ｃ２）、（Ｄ）成分以外に必要に応じて、通常、衣料用などの液体洗浄剤組成物に用いられている公知の成分等を適宜、配合することができる。
具体的には、たとえば溶剤、ｐＨ調整剤、酵素、酵素安定化剤、防腐剤、抗菌剤、蛍光剤、色素、香料などが挙げられる。
溶剤としては、水、プロピレングリコール、エタノール等が挙げられ、水以外の溶剤の含有割合としては、本発明の液体洗浄剤組成物中に１〜４０質量％であることが好ましく、５〜３０質量％であることがより好ましい。
ｐＨ調整剤としては、水酸化カリウム、水酸化ナトリウム、硫酸などが挙げられる。
【００３１】
本発明の液体洗浄剤組成物それ自体のｐＨは、２５℃でのｐＨが９．０〜１１．０であることが好ましく、ｐＨ１０．０〜１１．０であることがより好ましい。当該ｐＨが９．０以上であると、ビリルビン由来の糞尿汚れに対して良好な洗浄効果が得られ、当該ｐＨが１１．０以下であると、液体洗浄剤組成物の液外観の均一透明性がより良好となる。また、ｐＨが１１．０を超えると、家庭品品質表示法ではアルカリ性となるため、ｐＨが１１．０以下であれば、弱アルカリ性の領域を満足することができる。
液体洗浄剤組成物のｐＨは、当該組成物において必須成分である（Ｂ）成分、（Ｃ１）成分および（Ｃ２）成分の含有割合によって調整される。また、所望により、上記ｐＨ調整剤を適宜用いてｐＨを微調整することもできる。
本発明において、液体洗浄剤組成物（２５℃に調温）のｐＨは、ｐＨメーター（製品名：ＨＭ−３０Ｇ、東亜ディーケーケー（株）製）等により測定される値を示す。
【００３２】
本発明の液体洗浄剤組成物は、好適には水を溶剤として、常法に基づいて製造することができる。
本発明の液体洗浄剤組成物の使用方法は、通常の使用方法、すなわち、本発明の液体洗浄剤組成物（本発明品）を予め水に溶かしておき、そこにおむつやパンツ等を浸漬する方法；本発明品を、洗濯時に、おむつやパンツ等の衣料と一緒に水に投入する方法；おむつやパンツ等に、本発明品を直接塗布する方法等が挙げられる。また、本発明品を、おむつやパンツ等に塗布後、適宜放置し、その後、通常の洗濯液を用いて通常の洗濯を行う方法も好ましい。
【００３３】
以上説明したように、本発明によれば、環境への負荷が低い易生分解性キレート剤を含有し、ビリルビン由来の糞尿汚れに対して良好な洗浄効果を発揮し、かつ、低温安定性の良好な液体洗浄剤組成物を提供することができる。
また、本発明によれば、従来汎用のエチレンジアミンテトラ酢酸塩（ＥＤＴＡ）等を用いることなく、糞尿汚れに対する洗浄効果の高い液体洗浄剤組成物を提供することができる。
本発明の液体洗浄剤組成物は、特におむつやパンツ等の衣料を被洗物とした、糞尿汚れ用として特に好適なものである。
【実施例】
【００３４】
以下に実施例を用いて本発明をさらに詳しく説明するが、本発明はこれら実施例に限定されるものではない。
【００３５】
≪液体洗浄剤組成物の製造≫
表１、２に示す配合組成に従って、以下に示す方法により、各例の液体洗浄剤組成物をそれぞれ調製した。表１、２中の配合量の単位は質量％であり、いずれの成分も純分換算量を示す。
なお、各例の液体洗浄剤組成物は、表に記載の各成分の合計が１００質量％となるように調製した。各成分は５０℃に保温したものを用いた。
［液体洗浄剤組成物の製造方法］
まず、（Ａ）成分と、（Ｂ）成分と、（Ｃ１）成分と、（Ｃ２）成分と、（Ｄ）成分とを混合した。その後、全体量（全体量を１００質量部とする。）が９５質量部になるように精製水を入れ、撹拌混合した後、全体量が１００質量％になるようにエタノールを加えて液体洗浄剤組成物を製造した。
精製水を加える際、必要に応じて、高速撹拌を行いながらゆっくり撹拌した。
なお、比較例２、４においては、液体洗浄剤組成物を室温とした後、比較例２は０．１Ｎ水酸化カリウムを、比較例４は０．１Ｎ硫酸をそれぞれ用いて、表２に示す各ｐＨに調整した。その他の例の液体洗浄剤組成物のｐＨは、特にｐＨ調整を行っていない値を示す。
ｐＨ測定は、液体洗浄剤組成物を２５℃に調整し、ガラス電極式ｐＨメーター（製品名：ホリバＦ−２２、（株）堀場製作所製）を用いて測定した。測定方法は、ＪＩＳＫ３３６２−１９９８に準拠して行った。
以下に、表中に示した成分について説明する。
【００３６】
＜表中に示した成分の説明＞。
・（Ａ）成分
ＭＧＤＡ：メチルグリシン二酢酸ナトリウム、商品名「トリロンＭパウダー」；ＢＡＳＦジャパン製。
ＨＩＤＳ：ヒドロキシイミノジコハク酸ナトリウム、商品名「ＨＩＤＳ」；日本触媒製。
【００３７】
・（Ｂ）成分
ＤＥＡ：ジエタノールアミン、三井化学製。
ＭＥＡ：モノエタノールアミン、三井化学製。
ＴＥＡ：トリエタノールアミン、三井化学製。
【００３８】
・（Ｃ１）成分
カプリル酸：Ｃ６／Ｃ８／Ｃ１０＝０．５／９９／０．５（質量比）、商品名「ＮＡＡ−８２」；日本油脂製。
なお、「Ｃ６／Ｃ８／Ｃ１０」とは、前記一般式（ＩＩＩ）で表される、炭素数６の化合物、炭素数８の化合物および炭素数１０の化合物の混合物からなるものであることを意味する。
【００３９】
・（Ｃ１）成分と（Ｃ２）成分との混合物
カプリン酸：Ｃ８／Ｃ１０／Ｃ１２＝０．５／９９／０．５（質量比）、商品名「ＮＡＡ−１０２」；日本油脂製。
なお、「Ｃ８／Ｃ１０／Ｃ１２」とは、前記一般式（ＩＩＩ）で表される炭素数８の化合物と、前記一般式（ＩＩＩ）で表される炭素数１０の化合物と、前記一般式（ＩＶ）で表される炭素数１２の化合物との混合物からなるものであることを意味する。
【００４０】
ヤシ脂肪酸：Ｃ８／Ｃ１０／Ｃ１２／Ｃ１４／Ｃ１６／Ｃ１８＝５／６／５５／１７／１０／７（質量比）、商品名「椰子脂肪酸」；日本油脂製。
なお、「Ｃ８／Ｃ１０／Ｃ１２／Ｃ１４／Ｃ１６／Ｃ１８」とは、前記一般式（ＩＩＩ）で表される炭素数８の化合物および炭素数１０の化合物と；前記一般式（ＩＶ）で表される炭素数１２の化合物、炭素数１４の化合物、炭素数１６の化合物および炭素数１８の化合物との混合物からなるものであることを意味する。
【００４１】
・（Ｄ）成分
Ｄ−１：ポリオキシエチレンアルキルエーテル；天然アルコール系ノニオン界面活性剤、商品名「レオックスＣＣ−８０Ｈ」、ライオン社製。
Ｄ−２：ポリオキシエチレンアルキルエーテル;合成アルコール系ノニオン界面活性剤、商品名「レオコールＳＣ−８０」、ライオン社製。
【００４２】
・任意成分
エタノール：商品名「エタノール（９５）」、関東化学製（試薬）。
水酸化カリウム：ｐＨ調整剤として比較例２で適量を使用、商品名「苛性カリ液４８％」、旭硝子製。
硫酸：ｐＨ調整剤として比較例４で適量を使用、商品名「硫酸」、関東化学製（試薬）。
精製水：イオン交換水。
【００４３】
≪評価方法≫
得られた液体洗浄剤組成物について、以下に示す方法および評価基準によって、糞尿汚れに対する洗浄効果の評価、低温安定性の評価をそれぞれ行い、その結果を表１、２に併記した。
【００４４】
＜糞尿汚れに対する洗浄効果の評価＞
１）  評価用おむつ布の調製（前処理）
二槽式洗濯機（製品名：ＣＷ−Ｃ３０Ａ１−Ｈ、三菱電機製；以下同様）を用いて、おむつ布(綿ブロード♯１００）１ｋｇを、ノニオン界面活性剤の２０質量％水溶液（洗剤の標準使用濃度）にて、４０〜５０℃の水道水で２回繰り返し洗濯を行った後、同温度での水道水で充分すすぎ、室温で乾燥して、評価用おむつ布を調製した。
なお、上記の前処理は、浴比３０倍、洗濯条件：洗濯１０分間→注水すすぎ１０分間の２回繰り返し、ノニオン界面活性剤としてラウリルアルコール１モルあたり平均１５モルの酸化エチレンを付加させたアルコールエトキシレート（商品名：ＬＭＡＯ、ライオンケミカル製）を用いて行った。
【００４５】
２）糞尿汚れ用モデル汚垢布の調製
ビリルビン０．０２５ｇを精秤し、クロロホルムに溶解させながら、１００ｍＬメスフラスコにメスアップしたものをビリルビン溶液とした。
５ｃｍ×５ｃｍに裁断した前処理済みの評価用おむつ布に、マイクロピペットを用いて前記ビリルビン溶液０．２ｍＬを滴下し、室温遮光下で１昼夜乾燥させて、糞尿汚れ用モデル汚垢布とした。
【００４６】
３）洗浄率の測定
１Ｌビーカーに、２５℃で３°ＤＨに調整した水１Ｌを入れ、次いで、実使用濃度２０質量％水溶液に調製した各例の液体洗浄剤組成物をそれぞれ入れて充分に撹拌し、糞尿汚れ用モデル汚垢布を２時間浸漬した。浸漬した後、流水で１分間すすぎ、その後、アイロンで乾燥させて洗浄率を求めた。
洗浄率は、色差計で洗浄後の糞尿汚れ用モデル汚垢布の反射率を測定してＺ値を求め、下記のＮｏｒｍａｌ式より算出した。
洗浄率（％）＝（洗浄後の汚垢布のＺ値−洗浄前の汚垢布のＺ値）／（原布のＺ値−洗浄前の汚垢布のＺ値）×１００
式中、「原布」とは、上記２）の調製において、前記ビリルビン溶液０．２ｍＬを滴下していない前処理済みの評価用おむつ布をいう。
糞尿汚れに対する洗浄効果の評価は、各例ごとに、糞尿汚れ用モデル汚垢布    枚の洗浄率の平均値を求めることにより行った。
なお、評価基準を以下のように設定した。◎、○を合格として判定した。
評価基準 
◎：洗浄率が６０％以上。
○：洗浄率が５０％以上６０％未満。
△：洗浄率が４０％以上５０％未満。
×：洗浄率が４０％未満。
【００４７】
＜低温安定性の評価＞
各例の液体洗浄剤組成物１５０ｍｌを、直径５０ｍｍ、高さ１００ｍｍの円筒ガラス瓶に収容し、フタを閉めて密封した。この状態で、−５℃の恒温室に経日保存した。
低温安定性の評価は、液外観の均一透明性を、どの位の期間まで維持できるかを判定することにより行った。
なお、評価基準を以下のように設定した。◎、○を合格として判定した。
評価基準
◎：１．５ヶ月間、問題なし。
○：１ヶ月間以上１．５ヶ月間未満、問題なし。
×：１ヶ月未満で、白濁物が析出した又は固化を生じた。
【００４８】
【表１】
2009161581.tif 000005
【００４９】
【表２】
2009161581.tif 000006
【００５０】
以上の結果から明らかなように、本発明に係る実施例１〜１１の液体洗浄剤組成物は、環境への負荷が低い易生分解性キレート剤を含有し、ビリルビン由来の糞尿汚れに対して良好な洗浄効果を発揮し、かつ、低温安定性が良好であることが確認できた。
【００５１】
一方、本発明に係る構成とは異なる比較例１〜７の液体洗浄剤組成物においては、いずれも、ビリルビン由来の糞尿汚れに対する洗浄効果又は低温安定性のいずれかが悪いことから、当該洗浄効果と低温安定性との両立は困難であることが確認された。
なお、比較例３の液体洗浄剤組成物は、常温下でも液外観が不均一であった。